(57)【要約】【課題】階段昇降機により階段や通路の通行が妨げらることを抑制する。【解決手段】建物１は、上階通路１０と下階通路１１をつなぐ階段２と、階段２に沿って設けられた昇降機レール３と、昇降機レール３に支持され、昇降機レール３に沿って昇降する階段昇降機４と、を備えている。建物１は、下階通路１０に当該通路に面し、当該通路から後退した昇降機収容部４０が設けられている。昇降機レール３は、階段２から昇降機収容部４０に延設されている。【選択図】図２
2016030965.tif 000002
【特許請求の範囲】
【請求項１】
上階通路と下階通路をつなぐ階段と、前記階段に沿って設けられた昇降機レールと、前記昇降機レールに支持され、前記昇降機レールに沿って昇降する階段昇降機と、を備えた建物であって、
前記上階通路又は前記下階通路の少なくともいずれかに面し、当該通路から後退した昇降機収容部が設けられ、
前記昇降機レールは、前記階段から前記昇降機収容部に延設されている、建物。
【請求項２】
前記階段は、下側階段と上側階段とを有する折り返し階段であり、
前記昇降機レールは、前記階段の内廻り側に沿って設けられ、
前記昇降機収容部は、前記上側階段の下方空間に設けられている、請求項１に記載の建物。
【請求項３】
前記階段は、下側階段と上側階段とを有する折り返し階段であり、
前記昇降機レールは、前記階段の内廻り側に沿って設けられ、
前記昇降機収容部は、前記下側階段の上方空間に設けられている、請求項１又は２に記載の建物。
【発明の詳細な説明】
【技術分野】
【０００１】
本発明は、階段昇降機を有する建物に関する。
【背景技術】
【０００２】
高齢者人口が増加するにつれ、建物において高齢者が階層間を昇降するための昇降手段の重要性が増している。従来より昇降手段の一つとしてエレベータが考えられているが、エレベータは、スペースや構造等の制約により設置が困難な場合が多い。エレベータより簡易に設置できる昇降手段として、階段の昇降方向に沿って移動する階段昇降機が知られている（特許文献１参照）。通常、階段昇降機は、ユーザが座る椅子を有し、階段に沿って設けられた昇降機レールに支持され、昇降機レールに沿って昇降する。
【先行技術文献】
【特許文献】
【０００３】
【特許文献１】特開平１１−２７８７７２号公報
【発明の概要】
【発明が解決しようとする課題】
【０００４】
しかしながら、上述のような従来の階段昇降機は、不使用時（待機時）には階段の昇り口や階段の降り口、或いは階段とつながる上下階の通路に停止しており、階段を昇降する人や通路を通る人の妨げになっていた。
【０００５】
本出願はかかる点に鑑みてなされたものであり、階段昇降機により階段や通路の通行が妨げられることを抑制する建物を提供することをその目的とする。
【課題を解決するための手段】
【０００６】
上記目的を達成するための本発明は、上階通路と下階通路をつなぐ階段と、前記階段に沿って設けられた昇降機レールと、前記昇降機レールに支持され、前記昇降機レールに沿って昇降する階段昇降機と、を備えた建物であって、前記上階通路又は前記下階通路の少なくともいずれかに面し、当該通路から後退した昇降機収容部が設けられ、前記昇降機レールは、前記階段から前記昇降機収容部に延設されている建物を含む。
【０００７】
前記階段は、下側階段と上側階段とを有する折り返し階段であり、前記昇降機レールは、前記階段の内廻り側に沿って設けられ、前記昇降機収容部は、前記上側階段の下方空間に設けられていてもよい。
【０００８】
前記階段は、下側階段と上側階段とを有する折り返し階段であり、前記昇降機レールは、前記階段の内廻り側に沿って設けられ、前記昇降機収容部は、前記下側階段の上方空間に設けられていてもよい。
【発明の効果】
【０００９】
本発明によれば、階段昇降機により階段や通路の通行が妨げられることが抑制されるので、建物内の移動がスムーズに行われる。
【図面の簡単な説明】
【００１０】
【図１】階段昇降機を有する建物の階段を示す説明図である。
【図２】階段の下階部分の構成の概略を示す模式図である。
【図３】階段の上階部分の構成の概略を示す模式図である。
【図４】階段の外側壁に沿って昇降機レールを設ける場合の下階部分の構成の概略を示す模式図である。
【図５】階段の外側壁に沿って昇降機レールを設ける場合の上階部分の構成の概略を示す模式図である。
【図６】階段が直線状の場合の下階部分の構成の概略を示す模式図である。
【発明を実施するための形態】
【００１１】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１２】
図１は、本実施の形態における建物１の階段２に設置される昇降機レール３と階段昇降機４の一例を示す説明図である。
【００１３】
建物１は２階建ての住宅であり、例えば下階の下階通路１０と上階の上階通路１１をつなぐ階段２と、階段２に沿って設けられた昇降機レール３と、昇降機レール３に支持され、昇降機レール３に沿って昇降する階段昇降機４を有している。なお、建物１は、例えば３階建て以上の住宅であってもよい。下階通路１０及び上階通路１１の有効幅は、例えば７５ｃｍ〜９０ｃｍ程度である。
【００１４】
階段２は、例えば下側階段２０と上側階段２１とを有する折り返し階段である。例えば図２に示すように下階において上側階段２１の下方であって下側階段２０の側方には、下方空間３０が設けられている。また、図３に示すように上階において下側階段２０の上方であって上側階段２１の側方には、上方空間３１が設けられている。階段２は例えば３m2〜５m2程度の広さである。階段２の通行部の有効幅は、例えば７５ｃｍ〜９０ｃｍ程度である。階段２の内廻り側には、下側階段２０と上側階段２１とを仕切る内側壁２２が設けられている。また、階段２の外廻り側には、階段室とその他の空間とを仕切る外側壁２３が設けられている。
【００１５】
図２に示すように下方空間３０には、下階通路１０に面し、下階通路１０から後退した昇降機収容部４０が形成されている。また、図３に示すように上方空間３１の一部には、上階通路１１に面し、上階通路１１から後退した昇降機収容部４１が形成されている。昇降機収容部４１は、例えば上階の床面が階段吹き抜け４２側へ持ち出されることにより形成されている。また昇降機収容部４１の奥側には腰壁４３が立設されている。昇降機収容部４０、４１は、通路から３０ｃｍ以上、好ましくは４５ｃｍ〜９０ｃｍ程度後退していてもよい。
【００１６】
昇降機レール３は、前記階段２の内側壁２２に沿って設けられている。昇降機レール３は、図２に示すように階段昇り口部において、１８０度折り曲げられ、下方空間３０の昇降機収容部４０まで延設されている。昇降機レール３は、図３に示すように階段降り口部において直角に折り曲げられ、上方空間３１の昇降機収容部４１まで延設されている。昇降機レール３は、図１に示すように階段２に複数立設された支柱５０によって支持されている。なお、昇降機レール３は、階段２の内側壁２２に直接支持されていてもよい。昇降機レール３が前記階段２の内側壁２２から突出する寸法は、１５ｃｍ以下が好ましく、１０ｃｍ以下が更に好ましい。
【００１７】
階段昇降機４は、例えば腰掛け部６０と、背もたれ部６１と、肘掛け部６２と、足置き部６３を有している。腰掛け部６０、肘掛け部６２及び足置き部６３は、例えば折り畳み自在であり、不使用時（待機時）には、腰掛け部６０、肘掛け部６２及び足置き部６３を折り畳んで、階段昇降機４の厚み（階段の通行部側に突出する幅）を薄くすることができる。階段昇降機４は、例えば電動モータにより昇降機レール３上を移動する。階段昇降機４の電源は、例えば下方空間３０に設置されていてもよい。
【００１８】
以上のように構成された建物１において、階段昇降機４を使用しない場合には、図２及び図３に示すように階段昇降機４は、昇降機収容部４０或いは昇降機収容部４１に収容され待機している。階段昇降機４を使用する場合には、例えばユーザが下階の昇降機収容部４０の階段昇降機４に腰掛け、駆動開始ボタンを押すと、階段昇降機４が、階段２の内側壁２２の昇降機レール３に沿って階段２を上がり、上階の昇降機収容部４１で停止する。また、ユーザが上階の昇降機収容部４１の階段昇降機４に腰掛け、駆動開始ボタンを押すと、階段昇降機４が、階段２の内側壁２２の昇降機レール３に沿って階段２を下がり、下階の昇降機収容部４０で停止する。また、下階の昇降機収容部４０で階段昇降機４が停止する前に、いったん下階通路１０で停止させて、ユーザが階段昇降機４から降りた後に、昇降機収容部４０に収容されるようにしてもよい。
【００１９】
本実施の形態によれば、下階通路１０と上階通路１１に当該通路１０、１１から後退した昇降機収容部４０、４１が設けられ、昇降機レール３が階段２から昇降機収容部４０、４１に延設されているので、階段昇降機４の不使用時に、階段昇降機４を昇降機収容部４０、４１に収容しておくことができる。これにより、下階通路１０、上階通路１１及び階段２の通行部の有効幅を広く確保でき、階段昇降機４により階段２や通路１０、１１の通行が妨げられることを抑制できる。
【００２０】
昇降機収容部４０は、下方空間３０に設けられているので、建物１の上側階段２１の下にできる空間を有効に活用できる。
【００２１】
また、昇降機収容部４０は、下側階段２０の上方空間３１に設けられているので、建物１の下側階段２０の上方の通常は吹き抜けとなる空間を有効に活用できる。
【００２２】
上記実施の形態では、昇降機レール３が階段２の内側壁２２に沿って設けられていたが、階段２の外側壁２３に沿って設けられていてもよい。かかる場合、例えば図４に示すように昇降機収容部４０は、例えば階段２の昇り口部の外側に、下階通路１０に面し下階通路１０から後退する空間が設けられ、その空間に昇降機収容部４０が設けられる。また、図５に示すように階段２の降り口部の外側に、上階通路１１に面し上階通路１１から後退する空間が設けられ、その空間に昇降機収容部４１が設けられる。昇降機レール３は、下階の昇降機収容部４０から、下側階段２０と上側階段２１の外側壁２３に沿って、上階の昇降機収容部４１まで延設されている。かかる例でも、階段昇降機４の不使用時に、階段昇降機４を昇降機収容部４０、４１に収容しておくことができ、これにより、階段昇降機４により階段２や通路１０、１１の通行が妨げられることを抑制できる。
【００２３】
以上の実施の形態では、階段２が折り返し階段であったが、他の形の階段２にも本発明は適用できる。例えば図６に示すように階段２が直線状であってもよい。また、階段２に対し下階通路１０が直線的に配置されていてもよい。その他、階段２は螺旋階段等であってもよい。
【００２４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２５】
例えば以上の実施の形態では、上階と下階の両側に昇降機収容部４０、４１を設けていたが、いずれか一方であってもよい。昇降機レール３は、上下に隣接する２つの階層の間に設けられていてもよいし、３以上の階層間に設けられてもよい。例えば３以上の階層間をつなぐ折り返し階段が重ねて設置されている場合、昇降機レール３を外側壁２３ではなく内側壁２２に沿って設けることにより、昇降機レール３を全階層にわたって連続的に設けることができる。よってユーザは階段昇降機４を途中で乗り換えることなく、最下層から最上層までいっきに昇降することができる。また、階段昇降機４の構成も他の構成を有するものであってもよい。また、昇降機レール３や階段昇降機４を設置する時期は、建物１の新築時であってもよいし、将来、居住者が高齢になってリフォーム工事を行う時期等であってよい。新築時に上側階段の下方空間が階段下収納として利用されている場合、リフォーム時には階段下収納の空間を昇降機収容部として利用することができるので好適である。
【産業上の利用可能性】
【００２６】
本発明は、階段昇降機により階段や通路の通行が妨げることを抑制する建物を提供する際に有用である。
【符号の説明】
【００２７】
１  建物
２  階段
３  昇降機レール
４  階段昇降機
１０  下階通路
１１  上階通路
２０  下側階段
２１  上側階段
２２  内側壁
２３  外側壁
３０  下方空間
３１  上方空間
４０、４１  昇降機収容部
【図１】
2016030965.tif 000003
【図２】
2016030965.tif 000004
【図３】
2016030965.tif 000005
【図４】
2016030965.tif 000006
【図５】
2016030965.tif 000007
【図６】
2016030965.tif 000008